(57)【要約】      （修正有）【課題】使用済濾材を方形枠から簡単に取り外して濾材のみを廃棄することができ、また、未使用濾材を装着することによりその方形枠を再利用できるフィルターカセットを提供する。【解決手段】片端１３を袋状に閉成した１以上の筒状部１４の他端を一つの方形開口部１２に形成した可燃性の濾材１１と、開口部１２を方形に広げた状態に取り付ける方形枠２１とからなるフィルターカセット１において、方形枠２１は、濾材１１の開口部１２に装着される内枠２２と、少なくとも対向２辺が内枠２２を収納支持するガイドに形成され外枠２３とからなり、濾材１１の開口部１２には、その周縁部１５を内枠２２に巻き掛けた状態で筒状部１５に留め付ける可燃性の留め具１７を設けた。【選択図】図１
0003204549.tif 000002
【実用新案登録請求の範囲】
【請求項１】
片端を袋状に閉成した１以上の筒状部の他端を一つの方形開口部に形成した可燃性の濾材と、前記開口部を方形に広げた状態に取り付ける方形枠とからなるフィルターカセットにおいて、
前記方形枠は、濾材の開口部に装着されるワイヤフレームで成る内枠と、少なくとも対向２辺が前記内枠を収納支持するガイドに形成され外枠とからなり、
前記濾材の開口部には、その周縁部を前記内枠に巻き掛けた状態で、当該周縁部と筒状部とを留め付ける可燃性の留め具が取り付けられたことを特徴とするフィルターカセット。
【請求項２】
前記外枠は、対向２辺とこれを連結する１辺の合計３辺が内枠を内側に収納支持する溝型ガイドに形成され、残る１辺に内枠を挿脱する挿入口が形成された請求項１記載のフィルターカセット。
【請求項３】
前記内枠を挿入するスペースを確保した状態で前記挿入口を狭める邪魔板が配されて成る請求項１又は２記載のフィルターカセット。
【請求項４】
前記留め具が、スナップフック又は面状ファスナーで成る請求項１乃至３記載のフィルターカセット。
【請求項５】
片端を袋状に閉成した１以上の筒状部の他端を一つの方形開口部に形成した可燃性の濾材と、前記開口部を方形に広げた状態に取り付ける方形枠とからなるフィルターカセットにおいて、
前記方形枠は、濾材の開口部に装着されるワイヤフレームで形成され、
前記濾材の開口部には、その周縁部を前記ワイヤフレームに巻き掛けた状態で、当該周縁部と筒状部とを留め付ける可燃性の留め具が取り付けられたことを特徴とするフィルターカセット。
【請求項６】
片端を袋状に閉成した１以上の筒状部の他端が一つの方形開口部に形成された可燃性の濾材において、
前記方形開口部には、その周縁部を方形の枠体に巻き掛けた状態で、当該周縁部と筒状部とを留め付ける可燃性の留め具が取り付けられたことを特徴とする濾材。
【請求項７】
前記留め具が、スナップフック又は面状ファスナーで成る請求項６記載の濾材。
【考案の詳細な説明】
【技術分野】
【０００１】
本考案は、塗装ブース等に設けられる排気処理設備の空気流入口などに取り付けられて使用するフィルターカセットに関するものである。
【背景技術】
【０００２】
塗装ブースなどには塗料ミストなどの汚染物質を含んだ排気を処理した後、循環使用し、あるいは、外部排気するために排気処理設備が設けられており、その空気流入口には、大きなゴミや塵埃を補足するフィルターカセットを着脱可能に装着する支持枠が形成されている。
【０００３】
この支持枠に装着するフィルターカセットに使用する濾材として、片端を袋状に閉成した１以上の筒状部の他端を一つの方形開口部に形成した可燃性の袋型濾材が用いられており、この濾材を方形枠に取り付けたフィルターカセットを廃棄処理設備の支持枠等に装着して使用している。
そして、所定期間使用して濾材が汚れたときには、使用済のフィルターカセットを取り外して方形枠ごと廃棄処分し、新たなフィルターカセットに交換することとしている。
【０００４】
ところで、一般に、濾材は可燃性合成樹脂で形成され、方形枠は金属などの不燃物で形成されているので、フィルターカセットを廃棄処分する際には、可燃廃棄物となる使用済濾材と、不燃廃棄物となる方形枠を分別する必要がある。
しかしながら、従来のフィルターカセットは、濾材を方形枠に対して、縫合したり、溶着させたり、ネジなどの金属製留め具を用いて固定しているため、ハサミ、ドライバなどの工具を用いなければならず、容易に分離することができないという問題があった。
【０００５】
しかも、方形枠は強度的には十分再使用可能であるにも拘らず、これに対して濾材を容易に着脱することができないことから、廃棄処分せざるを得ず、環境負荷に与える影響も大きいという問題があった。
【考案の概要】
【考案が解決しようとする課題】
【０００６】
そこで本考案は、使用済濾材を方形枠から簡単に取り外して濾材のみを廃棄することができ、また、未使用濾材を装着することによりその方形枠を再利用することができるフィルターカセットを提供することを技術的課題としている。
【課題を解決するための手段】
【０００７】
この課題を解決するために、本考案は、片端を袋状に閉成した１以上の筒状部の他端を一つの方形開口部に形成した可燃性の濾材と、前記開口部を方形に広げた状態に取り付ける方形枠とからなるフィルターカセットにおいて、
前記方形枠は、濾材の開口部に装着される内枠と、少なくとも対向２辺が前記内枠を収納支持するガイドに形成され外枠とからなり、
濾材の開口部には、その周縁部を前記内枠に巻き掛けた状態で、当該周縁部と筒状部とを留め付ける可燃性の留め具が取り付けられたことを特徴とする。
【考案の効果】
【０００８】
本考案のフィルターカセットによれば、濾材の開口部の周縁部を内枠に巻き掛けて、スナップフックや面状ファスナーの留め具により、その周縁部と筒状部を留め付けることにより、濾材を内枠に簡単に取り付けることができる。
次いで、この内枠を濾材ごと外枠に装着する。
ここで、外枠の対向２辺が内枠を内側に収納支持する溝型ガイドに形成されているものを用いれば、内枠を外枠に対してスライドさせて挿入して、フィルターカセットの組み立てが完了する。
【０００９】
組立完了したフィルターカセットは、例えば、排気処理設備の空気流入口等に形成された支持枠に取り付けられて使用され、所定期間使用して濾材が汚損した時にこれを交換する。
交換作業は、支持枠から取り外したフィルターカセットの外枠から内枠を抜き取り、内枠に巻き掛けられた開口部の周縁部と筒状部とを留めているスナップフックや面状ファスナーの留め具を外せば、使用済濾材を内枠から簡単に取り外して、濾材のみを廃棄することができる。
次いで、前述と同様の手順で未使用濾材を内枠に取り付けて、内枠を濾材ごと外枠に装着してフィルターカセットを組み立てることができるので、内枠と外枠から成る方形枠は何度でも再使用することができる。
【図面の簡単な説明】
【００１０】
【図１】本考案に係るフィルターカセットの一例を示す分解図。
【図２】その外観図。
【図３】外枠の展開図。
【図４】外枠を示す説明図。
【図５】フィルターカセットの組立手順を示す説明図。
【考案を実施するための形態】
【００１１】
本例では、使用済濾材を方形枠から簡単に取り外して濾材のみを廃棄することができ、また、未使用濾材を装着することによりその方形枠を再利用できるようにするという目的を達成するため、片端を袋状に閉成した１以上の筒状部の他端を一つの方形開口部に形成した可燃性の濾材と、前記開口部を方形に広げた状態に取り付ける方形枠とからなるフィルターカセットにおいて、前記方形枠は、濾材の開口部に装着される内枠と、少なくとも対向２辺が前記内枠を収納支持するガイドに形成され外枠とからなり、濾材の開口部に、その周縁部を前記内枠に巻き掛けた状態で、当該周縁部と筒状部とを留め付ける可燃性の留め具を取り付けた。
【実施例１】
【００１２】
本例のフィルターカセット１は、例えば、図２に示すように、塗装ブース等の排気処理設備の空気吸込口に接地されたレール状の支持枠２に上下両端が支持されるように装着されて使用されるもので、図１に示すように、可燃性の濾材１１と、その開口部１２を方形に広げた状態に取り付ける方形枠２１とからなり、方形枠２１は、濾材１１の開口部に装着される内枠２２と、これを収納支持する外枠２３とからなる。
【００１３】
濾材１１は、可燃性樹脂の不織布等で形成され、本例では、片端１３を袋状に閉成した１以上（本例では二つ）の筒状部１４の他端を一つの方形開口部１２に形成したマルチポケット式のものを用いている。
このマルチポケット式の濾材１１は、シングルポケット式の濾材をミシン縫合して形成されている。
また、本考案では、濾材１１としてマルチポケット式のものに限らず、シングルポケット式の濾材を用いてもよいことはもちろんである。
【００１４】
開口部１４の周縁部１５には、４隅の稜線と各筒状部１４間の併せ目に沿って切込み１６が入れられ、その周縁部１５を内枠２２に巻き掛けた状態で、当該周縁部１５と筒状部１４とを留め付ける可燃性の留め具１７が取り付けられている。
本例では、留め具１７として、可燃性プラスチックで形成されたスナップフックが用いられているが、これに限らず、可燃性プラスチックで形成された面状ファスナーなど任意のものを用いることができる。
【００１５】
方形枠２１の内枠２２は、ワイヤロッドを方形に折り曲げて先端同士を溶接したワイヤフレーム２２ａで形成されている。また、濾材１１としてマルチポケット式のものを用いる場合は、各ポケット間の縫合部を支持するグリッドワイヤ２２ｂがポケットの数に応じてワイヤフレーム２２ａに溶接されている。
【００１６】
外枠２３は、図３に示すように、中央に方形の枠開口２４を形成した金属板の周囲を折り曲げて、対向２辺２５Ａ、２５Ｂと、これを連結する１辺２５Ｃの合計３辺が、内枠２２を内側に収納支持する溝型ガイドに形成されている。
また、残る１辺２５Ｄには、対向２辺２５Ａ、２５Ｂを連結する板材２６が配されて、外枠２３の側面から内枠２２を挿脱する挿入口２７が開口形成されると共に、当該挿入口２７には、内枠２２を挿入するスペースを確保した状態で挿入口２７を狭める邪魔板２８が折り起こされて形成されている。
これによって挿入口２７が狭くなるので、内枠２２の抜け出しを確実に防止することができる。
【００１７】
また、挿入口２７の背面側には前記板材２６が設けられ、その正面側は開放されているので、フィルターカセット１を排気処理設備の支持枠２に装着する際は、外枠２３の正面側を上流に、背面側を下流に向けてセットする。
これにより、濾材１１が風圧で下流側に引っ張られて、内枠２２が下流側に撓むことがあっても、その内枠２２の４辺すべてが外枠２３で保持されるので、風圧で内枠２２が外れることがない。
【００１８】
図４（ａ）は外枠２３の外観斜視図であり、図で見て手前側の一辺２５Ｄに挿入口２７が形成され、残る３辺２５Ａ〜２５Ｃが溝開口２９Ａ〜２９Ｃを内側に向けた溝型ガイドに形成されており、その内部に内枠２２が収納支持されるようになっている。
図４（ｂ）は図４（ａ）のＸ−Ｘ線断面図であり、挿入口２７が邪魔板２８で狭められており、背面側の１辺２５Ｄが溝型断面に形成された溝型ガイドとなっていることがわかる。
図４（ｃ）は図４（ａ）のＹ−Ｙ線断面図であり、対向２辺２５Ａ、２５Ｂが溝型断面に形成された溝型ガイドとなっていることがわかる。
【００１９】
以上が本考案の一構成例であって、次にその作用について説明する。
フィルターカセット１を組み立てる際は、まず、図５（ａ）に示すように、濾材１１の開口部１２に内枠２２を取り付ける。
この場合、濾材１１の裏表を確認し、塵埃捕捉面１１ａを内側に向けて開口部１２の周縁部１５を内枠２２の背面側から各辺の内側に通して外側に折り返すように巻き掛け、スナップフックなどの留め具１７で、周縁部１５を筒状部１４に留めると、開口部１２が正面側を向き、筒状部１５が背面側に突出した状態に取り付けられる。
【００２０】
次いで、内枠２２の内側を通して濾材１１の表裏を裏返して塵埃捕捉面１１ａを外側に露出させて、図５（ｂ）に示すように、筒状部１４を正面側に突出させた状態で、内枠２２を濾材１１ごと外枠２３の側面に開口された挿入口２７から挿し込んで方形枠２１を組み立てる。
このとき、濾材１１の筒状部１５は正面側に突出されているが、外枠２３の挿入口２７の正面側は開放されているので、濾材１１が邪魔になることもない。
【００２１】
方形枠２１の内枠２２を外枠２３の溝開口２９Ａ〜２９Ｃ内に収容した後、図５（ｃ）に示すように、再び、濾材１１の表裏を裏返して元に戻すと、濾材１１の塵埃捕捉面１１ａが内向きになり、開口部１２が正面側を向き、筒状部１５が背面側に突出したフィルターカセット１が完成するので、これを、図２に示すように、排気処理設備の空気流入口（図示せず）の支持枠２に取り付けて使用する。
【００２２】
交換する際は、前述と逆の手順で、排気処理設備の支持枠２からフィルターカセット１取り外し、使用済濾材１１を裏返して筒状部１５を正面側に突出させた状態で、内枠２２を濾材１１ごと外枠２３の挿入口２７から抜き出す。
この状態で、塵埃捕捉面１１ａが内向きになるように濾材１１を再度裏返せば、周縁部１５と筒状部１４を留めている留め具１７が濾材１１の外側に露出するので、そのまま留め具１７を外して背面側に抜き取れば、汚れた塵埃捕捉面１１ａを内向きにした状態で、濾材１１を内枠２２から簡単に外すことができ、その使用済濾材１１のみを可燃ごみとして廃棄することができる。
【００２３】
そして、この内枠２２に前述した手順で未使用の濾材１１を取り付け、これを外枠２３に挿入し、フィルターカセット１を組み立てて再使用することができるので、濾材１１のみを交換することにより、フィルターカセット１を再使用することができる。
【００２４】
フィルターカセット１の構造も簡単なため単価を安く抑えることができ、濾材１１の交換のみでフィルターカセット１を再使用することができるのでランニングコストも抑えることができ、濾材１１の交換作業も極めて簡単で、廃棄物として処理するものは可燃性の濾材１１のみであるので環境負荷に与える影響も抑えることができる。
【００２５】
なお、上記実施例の説明では、外枠２３として、その側面に内枠２２を挿入する挿入口２７を形成した場合につて説明したが、本考案はこれに限らず、空気流入側となる正面側又は空気排気側となる背面側から内枠２２を取り付ける構成としてもよい。
また、工場設備の支持枠２に装着して使用するフィルターカセット１として、ワイヤフレーム２２ａからなる内枠２２と、金属板を折り曲げて形成した外枠２３とからなる方形枠２１に濾材１１を取り付けたものを用いた場合につて説明したが、外枠２３を使わずに、ワイヤフレーム２２ａを方形枠として、これに濾材１１を取り付けたものも用いる場合であってもよい。
【産業上の利用可能性】
【００２６】
以上述べたように、本考案は、工場設備などにおいて、屋内空気を浄化処理する空気浄化処理装置の空気流入口に装着して使用するフィルターカセットの用途に適用し得る。
【符号の説明】
【００２７】
１    フィルターカセット
１１  袋型濾材
１２  開口部
１３  片端
１４  筒状部
１５  周縁部
１７  留め具
２１  方形枠
２２  内枠
２３  外枠
２６  板材
２７  挿入口
【図１】
0003204549.tif 000003
【図２】
0003204549.tif 000004
【図３】
0003204549.tif 000005
【図４】
0003204549.tif 000006
【図５】
0003204549.tif 000007